(57)【特許請求の範囲】
【請求項１】
利用者の臀部を乗せる台部と、
前記台部の上面の後部に設けられ、利用者の坐骨を後方から保持する凸部と、を備え、
前記凸部は、左右方向の所定の位置を基準として、左側及び右側の双方で左右方向の軸より上面視で前向きに傾斜する方向に直線状に延びるように設けられると共に、前記所定の位置における前記左側及び前記右側の部分の交差部分に利用者の尾骨が前後方向で被るように配置され、
前記凸部は、前記所定の位置に設けられない、又は、前記所定の位置における高さが前記左側及び前記右側の部分より低い、
座面。
【請求項２】
前記台部の上面は、前下がりに傾斜している、
請求項１に記載の座面。
【請求項３】
前記台部は、前後方向において、前記利用者の臀部及び大腿部のうちの坐骨周辺の臀部だけを保持するように構成され、
前記台部の上面の前端には、前記台部の上面から下面に向けて落ち込む段差部、又は、前記台部の上面よりも前下がりの傾斜が大きい傾斜部が設けられる、
請求項１又は２に記載の座面。
【発明の詳細な説明】
【技術分野】
【０００１】
本開示は、座面に関する。
【背景技術】
【０００２】
従来、利用者の座位姿勢の矯正を目的とする技術が知られている（例えば、特許文献１参照）。
【先行技術文献】
【特許文献】
【０００３】
【特許文献１】実用新案第３２１００９７号広報
【発明の概要】
【発明が解決しようとする課題】
【０００４】
しかしながら、上記のような利用者の座位姿勢を矯正する技術は、矯正後の適切な姿勢を維持することは考慮されていない場合がある。
【０００５】
一方、利用者の座位姿勢を強制的に適切な姿勢状態に維持するための保持機能を設けることも可能であるが、この場合、利用者は、保持機能に頼り切ってしまい、姿勢状態を維持するための体幹を鍛えることができない可能性ある。その結果、利用者は、その保持機能なしでは、適切な姿勢状態を維持できない可能性がある。
【０００６】
そこで、上記課題に鑑み、利用者が適切な座位姿勢を維持することが可能な技術を提供することを目的とする。
【課題を解決するための手段】
【０００７】
上記目的を達成するため、本開示の一実施態様では、
利用者の臀部を乗せる台部と、
前記台部の上面の後部に設けられ、利用者の坐骨を後方から保持する凸部と、を備え、
前記凸部は、左右方向の所定の位置を基準として、左側及び右側の双方で左右方向の軸より上面視で前向きに傾斜する方向に直線状に延びるように設けられると共に、前記所定の位置における前記左側及び前記右側の部分の交差部分に利用者の尾骨が前後方向で被るように配置され、
前記凸部は、前記所定の位置に設けられない、又は、前記所定の位置における高さが前記左側及び前記右側の部分より低い、
座面。
【０００８】
本実施形態によれば、座面は、凸部で後から利用者の坐骨を保持し、利用者の臀部の坐骨に相当する部分が台部の上面に接触するように、利用者を誘導することができる。そのため、座面は、骨盤を立てる適切な座位姿勢に利用者を誘導することができる。また、上面視で左右方向の軸より前向きに傾斜する左右の凸部によって、座面は、利用者の坐骨を後ろから保持するだけでなく、左右の外側からも保持することができ、利用者の臀部が左右方向に移動しにくくなる。そのため、利用者は、凸部によって、坐骨が後ろ及び左右の外側から保持され、坐骨が立った状態を比較的容易に維持することができる。よって、座面は、利用者に適切な座位姿勢を維持させることができる。
【発明の効果】
【０００９】
上述の実施形態によれば、利用者が適切な座位姿勢を維持することが可能な技術を提供することができる。
【図面の簡単な説明】
【００１０】
【図１】座面の一例を示す斜視図である。
【図２】座面の一例を示す上面図である。
【図３】座面の一例を示す側面視断面図である。
【図４】座面の一例を示す側面視断面図である。
【図５】坐骨保持部及び尾骨収容部と利用者の骨盤との関係を示す概念図である。
【図６】被験者による座面の利用に関する定性的な実験結果を示す図である。
【図７】被験者による座面の利用に関する定性的な実験結果を示す図である。
【図８】被験者による座面の利用に関する定性的な実験結果を示す図である。
【発明を実施するための形態】
【００１１】
以下、図面を参照して実施形態について説明する。
【００１２】
［座面の構成］
まず、図１〜図５を参照して、本実施形態に係る座面１の構成について説明する。
【００１３】
以下、本実施形態では、利用者が座面１に着座する場合の利用者から見た方向を基準にして説明を行う（図１〜図５の方向指示の矢印参照）。
【００１４】
図１は、本実施形態に係る座面１の一例を示す斜視図である。図２は、本実施形態に係る座面１の一例を示す上面図である。図３、図４は、本実施形態に係る座面１の一例を示す側面視断面図である。具体的には、図３、図４は、それぞれ、図２のＡ−Ａ線断面図及びＢ−Ｂ線断面図である。図５は、坐骨保持部３０及び尾骨収容部４０と利用者の骨盤５００との関係を示す概念図である。
【００１５】
座面１は、利用者が椅子等に座る場合に臀部を乗せて利用する。座面１は、例えば、ポリウレタン製であってよい。座面１は、例えば、任意の椅子の座面とは別に、その座面の上に追加的に乗せられるクッションであってよい。また、座面１は、椅子の座面の一部として予め組み込まれていてもよい。
【００１６】
図１〜図５に示すように、本実施形態に係る座面１は、台部１０と、垂直面２０と、坐骨保持部３０と、尾骨収容部４０とを含む。
【００１７】
台部１０は、利用者がその上面に臀部を乗せて座位姿勢を取るために用いられる。
【００１８】
図２に示すように、台部１０の前端部は、上面視で、後述する坐骨保持部３０Ｌ及び坐骨保持部３０Ｒと略平行になるように設定される。そのため、台部１０は、上面視で、後向きに凸の略Ｖ字形状を有する。
【００１９】
また、図３、図４に示すように、台部１０は、前下がりに傾斜している。これにより、利用者が台部１０の上面に臀部を乗せる場合に、骨盤５００が後側に倒れにくくなる、即ち、利用者の骨盤５００が自然と立ちやすくなる。そのため、利用者の骨盤５００の仙骨５２０に相当する部分が座面１に接触するような座位姿勢になりにくくなり、利用者のより適切な座位姿勢、即ち、骨盤５００が立った座位姿勢を実現することができる。
【００２０】
また、図１〜図４に示すように、台部１０は、坐骨保持部３０を基準とする前後方向の寸法が非常に小さく（短く）設定されている。例えば、台部１０の坐骨保持部３０を基準とする前後方向の寸法は、利用者が台部１０に臀部を乗せた際の利用者の大腿部の前後方向の開始位置が、台部１０の前端に掛からない程度、或いは、ぎりぎり掛かる程度の長さであってよい。これにより、利用者は、視覚的に、臀部の坐骨５１０に相当する部分を乗せる位置を明確に認識することができる。そのため、座面１は、臀部の坐骨５１０に相当する部分を乗せる適切な位置を利用者に意識させ、より適切な座位姿勢に誘導することができる。
【００２１】
垂直面２０は、台部１０の前部に設けられる。
【００２２】
垂直面２０は、台部１０の上面の前端部と、台部１０の下面の前端部との間を接続し、台部１０の下面に対して垂直になっている。これにより、台部１０に乗っている利用者の臀部が前方に移動すると、台部１０から落ちてしまう。そのため、利用者は、台部１０から落ちないように、台部１０の上面に臀部の坐骨５１０に相当する部分を乗せた状態を維持しようと意識を集中し易くなる。そのため、座面１は、利用者により適切な座位姿勢の維持を促すことができる。
【００２３】
坐骨保持部３０（凸部の一例）は、台部１０の後部に隣接して設けられ、図４に示すように、台部１０の上面を基準に断面が曲線状の凸形状を有する。坐骨保持部３０は、坐骨保持部３０Ｌ，３０Ｒを含む。
【００２４】
坐骨保持部３０Ｌは、台部１０の左右方向の中央部より左側の部分の後部に隣接して設けられる。同様に、坐骨保持部３０Ｒは、台部１０の左右方向の中央部により右側の部分の後部に隣接して設けられる。これにより、図５に示すように、坐骨保持部３０Ｌ，３０Ｒは、台部１０の上面に乗っている利用者の臀部の左側及び右側の坐骨５１０に相当する部分を後ろから保持することができる。そのため、座面１は、利用者の骨盤５００が後方に倒れて、仙骨５２０の部分が座面１に接触するような座位姿勢になってしまう事態を抑制し、利用者をより適切な座位姿勢に誘導することができる。
【００２５】
また、坐骨保持部３０Ｌは、左右方向の中央部を基準として、左側に向かって左右方向の軸より上面視で前向きに傾斜する方向に延びるように設けられる。同様に、坐骨保持部３０Ｒは、左右方向の中央部を基準として、右側に向かって左右方向の軸より上面視で前向きに傾斜する方向に延びるように設けられる。これにより、図５に示すように、座面１は、左右の坐骨５１０に相当する部分を後ろからだけでなく、左右方向の外側から保持することができる（図中の点線参照）。そのため、座面１は、利用者の臀部が左右方向に移動しにくくし、利用者の適切な座位姿勢が崩れてしまうような事態を抑制することができる。よって、座面１は、より適切な座位姿勢を利用者に維持させることができる。
【００２６】
尾骨収容部４０は、坐骨保持部３０Ｌの右端部と坐骨保持部３０Ｌの左端部との間の左右方向の中央部に設けられる。即ち、左右方向の中央部には、坐骨保持部３０が設けられず、図３に示すように、座面１の左右方向の中央部の上面は、台部１０の上面が後端部まで延長される態様で構成される。これにより、図５に示すように、尾骨収容部４０の作用で、臀部の尾骨５３０に相当する部分が坐骨保持部３０に接触し、利用者が尾骨５３０に痛みを感じたり、不快感（違和感）を覚えたりするような事態を抑制することができる。
【００２７】
［座面に関する実験結果］
次に、図６〜図８を参照して、被験者による座面１の利用に関する定性的な実験結果について説明する。
【００２８】
図６〜図８は、被験者による座面１の利用に関する定性的な実験結果を示す図である。具体的には、図６は、被験者Ａが座面１を利用しない場合（図中上側）、及び座面１を利用した場合（図中下側）の双方の椅子への座り始めからの５分ごとの座位姿勢を示す写真である。図７は、被験者Ｂが座面１を利用しない場合（図中上側）、及び座面１を利用した場合（図中下側）の双方の椅子への座り始めからの５分ごとの座位姿勢を示す写真である。図８は、被験者Ｃが座面１を利用しない場合（図中上側）、及び座面１を利用した場合（図中下側）の双方の椅子への座り始めからの５分ごとの座位姿勢を示す写真である。
【００２９】
被験者Ａは、身長が１２５ｃｍで、体重が２４ｋｇの小学２年生の男の子である。被験者Ｂは、身長が１４１ｃｍで、体重が３５ｋｇの小学４年生の男の子である。被験者Ｃは、身長が１４３ｃｍで、体重が４０ｋｇの中学１年生の男の子である。
【００３０】
図６に示すように、被験者Ａは、座面１を利用しない場合、実験の開始時点（０分）では、骨盤が立ち、背骨がＳ字のカーブを描いた適切な姿勢を確保している。しかし、被験者Ａは、５分経過の時点で、骨盤が後ろに倒れ、背骨が後向きに凸の状態（所謂猫背の状態）で曲がった姿勢（不適切な姿勢）に移行してしまっている。その後、被験者Ａは、１５分経過後から２０分経過後の間で、座位姿勢が適切な状態に近づいているものの、２０分経過後から３０分経過後までの範囲で背骨が前傾したり、後傾したりして適切な姿勢状態が崩れてしまっている。
【００３１】
また、図７、図８に示すように、被験者Ｂ，Ｃは、座面１を利用しない場合、実験の開始時点（０分）から骨盤が後に倒れ、背骨が後向きに凸の状態で曲がった姿勢（不適切な姿勢）になってしまっている。その後、被験者Ｂ，Ｃは、その姿勢状態が適切な方向に改善されることなく、実験時間の３０分が経過してしまっている。
【００３２】
このように、本実施形態に係る座面１を利用しない場合、利用者は、椅子に座る際に、適切な座位姿勢を維持することができず、且つ、場合によっては、適切な座位姿勢で座ることさえも実現できない可能性がある。特に、利用者が子供である場合、体幹の発達過程であるため、適切な座位姿勢を取るのが難しく、仮に、適切な座位姿勢を意識的に取ることができたとしても、その姿勢状態を維持するのが難しい。
【００３３】
これに対して、図６に示すように、被験者Ａは、座面１を利用した場合、実験の開始直後（０分）の適切な座位姿勢、即ち、骨盤が立ち、背骨がＳ字のカーブを描いた座位姿勢を実験時間の３０分経過後までほぼ維持することができている。
【００３４】
また、図７、図８に示すように、被験者Ｂ，Ｃは、座面１を利用した場合、開始直後（０分）に、骨盤が立ち、背骨がＳ字のカーブを描いた適切な座位姿勢を取ることができている。そして、被験者Ｂ，Ｃは、開始時点の適切な座位姿勢を実験時間の３０分経過後までほぼ維持することができている。
【００３５】
このように、本実施形態に係る座面１を利用する場合、利用者は、上述した各種機能によって、椅子に座る際に、適切な座位姿勢を取ることができると共に、その座位姿勢を維持することができる。特に、本実施形態に係る座面１は、体幹の発達過程にある子供に好適であり、比較的容易に、適切な座位姿勢を取らせたり、その適切な座位姿勢を維持させたりすることができる。
【００３６】
［作用］
次に、本実施形態に係る座面１の作用について説明する。
【００３７】
本実施形態では、座面１は、利用者の臀部を乗せる台部１０と、台部１０の上面の後部に設けられる坐骨保持部３０と、を備える。そして、坐骨保持部３０は、左右方向の所定の位置（中央部）を基準として、左側及び右側の双方で左右方向の軸より上面視で前向きに傾斜する方向に延びるように設けられる。
【００３８】
これにより、座面１は、坐骨保持部３０で後から利用者の坐骨を保持し、利用者の臀部の坐骨に相当する部分が台部１０の上面に接触するように、利用者を誘導することができる。そのため、座面１は、骨盤を立てる適切な座位姿勢に利用者を誘導することができる。また、上面視で左右方向の軸より前向きに傾斜する左右の坐骨保持部３０Ｌ，３０Ｒによって、座面１は、利用者の臀部の坐骨に相当する部分を後ろから保持するだけでなく、左右の外側からも保持することができ、利用者の臀部が左右方向に移動しにくくなる。そのため、利用者は、坐骨保持部３０Ｌ，３０Ｒによって、坐骨に相当する部分が後ろ及び左右の外側から保持され、坐骨が立った状態を比較的容易に維持することができる。よって、座面１は、利用者に適切な座位姿勢を維持させることができる。
【００３９】
また、本実施形態では、坐骨保持部３０は、左右方向の所定の位置（中央部）に設けられなくてよい。
【００４０】
これにより、座面１では、台部１０の上面の後ろから坐骨保持部３０で利用者の臀部の坐骨に相当する部分を保持しつつ、坐骨保持部３０Ｌ，３０Ｒの間の左右方向の中央部に尾骨収容部４０を設けることができる。そのため、座面１は、例えば、利用者の臀部の尾骨に相当する部分が坐骨保持部３０に当たって、利用者に痛みや不快感（違和感）等を与えてしまうような事態を抑制することができる。
【００４１】
尚、坐骨保持部３０は、左右方向の中央部にも設けられ、坐骨保持部３０Ｌ，３０Ｒが左右方向の中央部で繋がっている形態であってもよい。この場合、左右方向の中央部の坐骨保持部３０の高さは、その左側及び右側の部分の高さよりも低くなるように設定されてよい。これにより、利用者の臀部の尾骨に相当する部分が左右方向の中央部の坐骨保持部３０に接触しにくくなる。つまり、坐骨保持部３０Ｌ，３０Ｒが左右方向の中央部で繋がっている場合であっても、尾骨収容部４０を設けることができる。
【００４２】
また、本実施形態では、台部１０の上面は、前下がりに傾斜していてよい。
【００４３】
これにより、利用者の骨盤が前向きに立ちやすくなる。そのため、座面１は、利用者をより適切な座位姿勢に誘導することができる。
【００４４】
また、本実施形態では、台部１０の前部には、台部１０の上面に対して前下がりの垂直面２０が設けられてもよい。
【００４５】
これにより、利用者の姿勢が崩れて臀部の坐骨に相当する部分が前方に移動すると、台部１０から臀部が落ちてしまう可能性がある。また、利用者は、視覚的にも、姿勢が崩れて臀部の坐骨に相当する部分が前方に移動すると、台部１０から臀部が落ちてしまうことを一目瞭然に理解することができる。そのため、利用者は、臀部の坐骨に相当する部分が台部１０から落ちないように、台部１０に坐骨に相当する部分を乗せた適切な座位姿勢を維持しようとする可能性が高い。よって、座面１は、適切な座位姿勢を維持するように利用者を誘導することができると共に、適切な座位姿勢を維持するように誘導することで利用者に体幹を鍛えさせることができる。
【００４６】
尚、台部１０の前部には、垂直面２０の代わりに、台部１０の上面よりも前下がりの傾斜角度が大きい傾斜面が設けられてもよい。これにより、利用者の姿勢が崩れて臀部の坐骨に相当する部分が前方に移動すると、坐骨に相当する部分の位置の前下がりの傾斜が台部１０の傾斜角度よりもきつくなり、利用者に違和感を与えたり、利用者の臀部が更に前方に移動したりする可能性がある。また、利用者は、視覚的にも、姿勢が崩れて臀部の坐骨に相当する部分が前方に移動すると、臀部が更に前下がりの傾斜がきつい部分に到達してしまうことを一目瞭然に理解することができる。そのため、利用者は、臀部の坐骨に相当する部分が台部１０から更に前下がりの傾斜がきつい前方に移動しないように、台部１０に坐骨に相当する部分を乗せた適切な座位姿勢を維持しようとする可能性が高い。よって、座面１は、垂直面２０が設けられる場合と同様に、適切な座位姿勢を維持するように利用者を誘導することができると共に、適切な座位姿勢を維持するように誘導することで利用者に体幹を鍛えさせることができる。
【００４７】
［変形・変更］
以上、実施形態について詳述したが、本開示はかかる特定の実施形態に限定されるものではなく、特許請求の範囲に記載された要旨の範囲内において、種々の変形・変更が可能である。
【００４８】
例えば、上述の実施形態では、座面１は、利用者の適切な座位姿勢の実現や維持に関する複数の機能を有するが、上述の複数の機能のうちの任意の一部だけが採用される形態であってもよい。
【符号の説明】
【００４９】
１  座面
１０  台部
２０  垂直面
３０，３０Ｌ，３０Ｒ  坐骨保持部（凸部）
４０  尾骨収容部
【要約】
【課題】利用者が適切な座位姿勢を維持することが可能な技術を提供する。
【解決手段】本開示の一実施形態に係る座面１は、利用者の臀部を乗せる台部１０と、台部１０の上面の後部に設けられる坐骨保持部３０と、を備え、坐骨保持部３０は、左右方向の所定の位置（中央部）を基準として、左側及び右側の双方で左右方向の軸より上面視で前向きに傾斜する方向に延びるように設けられる。また、坐骨保持部３０は、左右方向の中央部に設けられなくてもよいし、或いは、左右方向の中央部における高さが左側及び右側の部分より低くてもよい。また、台部１０の上面は、前下がりに傾斜していてもよい。
【選択図】図５【図１】
0006850049.tif 000002
【図２】
0006850049.tif 000003
【図３】
0006850049.tif 000004
【図４】
0006850049.tif 000005
【図５】
0006850049.tif 000006
【図６】
0006850049.tif 000007
【図７】
0006850049.tif 000008
【図８】
0006850049.tif 000009